(57)【特許請求の範囲】
【請求項１】
搬送治具に掛けて吊り下げられる掛着部と、前記掛着部に結合されている複数のアームにそれぞれ設けられている保持部で一枚のレンズの側面を支えて保持するレンズ保持部とを有し、一枚の前記レンズを保持するレンズ保持治具であって、
前記レンズ保持部が、水平方向に延伸する水平部からコイルバネを介して鋭角的に折曲される傾斜部を有するとともに先端側に前記コイルバネにより前記レンズの側面に当接するように付勢される第１保持部を備えている第１アームと、
前記第１保持部が当接するレンズの側面と対向する側の側面に当接する第３保持部を備える第３アームと、
前記第１保持部が当接する前記レンズの側面と前記第３保持部が当接する前記レンズの側面との間の前記レンズの下方側面に当接する第２保持部を備える第２アームとを有し、
前記第２アームは案内孔を有し、前記第１アームが前記案内孔を通って前記第２アームと交差していることを特徴とするレンズ保持治具。
【請求項２】
搬送治具に掛けて吊り下げられる掛着部と、前記掛着部に結合されている複数のアームにそれぞれ設けられている保持部で一枚のレンズの側面を支えて保持するレンズ保持部とを有し、一枚の前記レンズを保持するレンズ保持治具であって、
前記レンズ保持部が、水平方向に延伸する水平部からコイルバネを介して鋭角的に折曲される傾斜部を有するとともに先端側に前記コイルバネにより前記レンズの側面に当接するように付勢される第１保持部を備えている第１アームと、
前記第１保持部が当接するレンズの側面と対向する側の側面に当接する第３保持部を備える第３アームと、
前記第１保持部が当接する前記レンズの側面と前記第３保持部が当接する前記レンズの側面との間の前記レンズの下方側面に当接する第２保持部を備える第２アームとを有し、
前記第１アームの前記傾斜部が前記第２アームと前記第３アームとに挟まれて交差していることを特徴とするレンズ保持治具。
【請求項３】
請求項１または２のいずれかに記載のレンズ保持治具において、
複数の前記保持部がそれぞれレンズの側面に当接し、前記レンズを保持して前記掛着部で搬送治具に吊されたときに、前記保持部が前記レンズと当接するそれぞれの箇所が、前記レンズの中心を通る鉛直線上にないことを特徴とするレンズ保持治具。
【請求項４】
請求項１〜３のいずれかに記載の複数のレンズ保持治具にそれぞれレンズを保持させ、それぞれのレンズ保持治具の前記掛着部を搬送治具に掛けて吊り下げ、前記レンズを処理液中に浸漬することを特徴とするレンズの処理方法。
【発明の詳細な説明】
【０００１】
【発明の属する技術分野】
本発明は、レンズをハードコート液等の処理液中に浸漬処理等するために用いられるレンズ保持治具及び搬送治具、並びにこのようなレンズの処理方法に関する。
【０００２】
【従来の技術】
プラスチック眼鏡レンズは、傷が付きやすいため、耐擦傷性を付与するハードコート膜を形成することが行われている。レンズにハードコート膜を形成する方法としては、両面が所定のレンズ面形状に加工された円形レンズの表面にハードコート液を塗布し、その後乾燥、硬化させる方法が一般的である。
【０００３】
レンズにハードコート液を塗布する方法としては、スピンコート法とディッピング法とがあり、生産性からディッピング法が主流である。
【０００４】
従来のディッピング法は、まとめて３０枚程度のレンズを装着できるレンズ保持治具にレンズを装着し、ハードコート液中にレンズ保持治具ごとレンズを浸漬し、所定時間経過後引き上げ、レンズ保持治具にレンズを装着したまま乾燥を行う方法が採用されている。
【０００５】
ディッピング法に用いられている従来のレンズ保持治具の一例を図８に示す。図８（ａ）は、レンズ保持治具の正面図、図８（ｂ）は側面図である。
【０００６】
このレンズ保持治具６００は、レンズＬを装着する１５連装のレンズ受け６１０が２列配置され、合計３０枚のレンズＬをまとめて装着できるようになっている。レンズ受け６１０は、レンズＬの側面を３点の保持部６３０で保持し、そのうち１点は板バネ状になっている。レンズ受け６１０は、レンズＬの厚みに応じた等間隔ごとのピッチで配置されている。レンズ保持治具６００には、レンズ保持治具６００を搬送するための搬送治具６２０が一体に設けられている。
【０００７】
【発明が解決しようとする課題】
しかしながら、従来のレンズ保持治具６００には次のような問題点があった。まず、レンズ径は６０ｍｍ〜８０ｍｍの範囲で９種類程度あり、それぞれの径に応じたレンズ受け６１０を有する９種類程度のレンズ保持治具６００を準備し、加えて、レンズの厚みに応じた間隔のピッチで設けられたレンズ受け６１０を有するレンズ保持治具６００を準備しなければならない。更に、図８では比較的薄いレンズを保持する先端がＭ字状の保持部６３０を有するレンズ保持治具６００を示しているが、レンズＬの側面が厚いときには針状に尖った保持部６３０を有するレンズ保持治具６００を用いる必要がある。このため、非常に多種類のレンズ保持治具を用意しなければならず、そのための設備費が大きく、管理が煩雑になるといった問題点がある。
【０００８】
また、レンズの径やレンズの厚みに応じてレンズ保持治具を選択する必要があるため、レンズの細かい分別作業が必要であり、そのために煩雑な手間を要するという問題点がある。一人のための左右の眼の特注レンズ（ペア品という）では、左右のレンズでレンズ径や極端に度数が異なる場合、一つのレンズ保持治具にペア品を装着することができないため、別のレンズ保持治具にペア品をそれぞれ装着することになり、そのため後にペア品を製造工程中で合流させるペアリングの手間が必要であるという問題点がある。
【０００９】
また、従来のレンズ保持治具６００は、レンズ受け６１０以外のレンズ受け６１０を支える骨組みが多く、ハードコート液に浸漬されるときに、これらの骨組みにもハードコート液が付着するため、ハードコート液が無駄になり、ハードコート液の利用効率が低いという問題点がある。
【００１０】
更に、レンズ受けが１５連装で密に配置されているため、レンズを装着する際に、レンズに傷を付けやすいという作業性や歩留まりの問題点がある。
【００１１】
特に、近年、レンズの特注品が多くなり、多品種、小ロットになって、レンズ保持治具に装着されるレンズの充填率が低くなっており、これらの問題点が顕著になってきている。
【００１２】
本発明は、上記事情に鑑みてなされたもので、従来のレンズ保持治具の問題点を解消し、多品種、小ロットに対応できるレンズ保持治具を提供することを目的とする。
【００１３】
また、本発明は、かかる多品種、小ロットに対応できるレンズ保持治具を搬送できる搬送治具を提供することを目的とする。
【００１４】
更に、本発明は、多品種、小ロットのレンズを浸漬処理等するレンズの処理方法を提供することを目的とする。
【００１５】
【課題を解決するための手段】
上記目的を達成するため、請求項１記載の発明は、搬送治具に掛けて吊り下げられる掛着部と、前記掛着部に結合されている複数のアームにそれぞれ設けられている保持部で一枚のレンズの側面を支えて保持するレンズ保持部とを有し、一枚の前記レンズを保持するレンズ保持治具であって、前記レンズ保持部が、水平方向に延伸する水平部からコイルバネを介して鋭角的に折曲される傾斜部を有するとともに先端側に前記コイルバネにより前記レンズの側面に当接するように付勢される第１保持部を備えている第１アームと、前記第１保持部が当接するレンズの側面と対向する側の側面に当接する第３保持部を備える第３アームと、前記第１保持部が当接する前記レンズの側面と前記第３保持部が当接する前記レンズの側面との間の前記レンズの下方側面に当接する第２保持部を備える第２アームとを有し、前記第２アームは案内孔を有し、前記第１アームが前記案内孔を通って前記第２アームと交差していることを特徴とするレンズ保持治具を提供する。
【００１６】
このようなレンズ保持治具は、従来のレンズ保持治具のレンズ受けを一つづつ切り離して吊り下げ式のレンズ保持部とし、搬送治具も別体とした構造に相当する。一枚のレンズを一つのレンズ保持治具で保持する毎葉式であるため、レンズの種類に応じたレンズ保持治具を用意すれば、多種類のレンズをそれぞれレンズ保持治具で保持し、一つの搬送治具に吊してハードコート液等に浸漬することができる。そのため、多品種、小ロットに対応することができる。また、吊り下げ式であるため、レンズ以外にハードコート液が付着する量は少なく、ハードコート液の利用効率が高い。また、レンズ一枚を一つのレンズ保持治具に装着し、広い空間を利用して作業することができるため、レンズに傷を付けるミスも減少する。更に、レンズ保持部をレンズの径の違いに対応できるようにすれば、レンズ径によらず、多種類のレンズを一種類のレンズ保持治具で保持することが可能であるため、レンズの分別作業も簡単になる。
【００１７】
請求項２記載の発明は、搬送治具に掛けて吊り下げられる掛着部と、前記掛着部に結合されている複数のアームにそれぞれ設けられている保持部で一枚のレンズの側面を支えて保持するレンズ保持部とを有し、一枚の前記レンズを保持するレンズ保持治具であって、前記レンズ保持部が、水平方向に延伸する水平部からコイルバネを介して鋭角的に折曲される傾斜部を有するとともに先端側に前記コイルバネにより前記レンズの側面に当接するように付勢される第１保持部を備えている第１アームと、前記第１保持部が当接するレンズの側面と対向する側の側面に当接する第３保持部を備える第３アームと、前記第１保持部が当接する前記レンズの側面と前記第３保持部が当接する前記レンズの側面との間の前記レンズの下方側面に当接する第２保持部を備える第２アームとを有し、前記第１アームの前記傾斜部が前記第２アームと前記第３アームとに挟まれて交差していることを特徴とするレンズ保持治具を提供する。
【００１８】
このようなレンズ保持治具は、保持部が付勢手段を介してレンズ側面に付勢されているアームを有するため、保持部の可動範囲が広く、幅広い径のレンズに対応してこれを保持できる。
【００２１】
請求項３記載の発明は、請求項１または２のいずれかに記載のレンズ保持治具において、複数の前記保持部がそれぞれレンズの側面に当接し、前記レンズを保持して前記掛着部で搬送治具に吊されたときに、前記保持部が前記レンズと当接するそれぞれの箇所が、前記レンズの中心を通る鉛直線上にないことを特徴とするレンズ保持治具を提供する。
【００２２】
保持部とレンズの接点がレンズの中心を通る鉛直線上にあると、レンズをハードコート液から引き上げたときに、レンズから垂れ落ちるハードコート液が保持部を通り、保持部にレンズ表面の液膜が引き寄せられてレンズ表面に均一なハードコート膜が形成されないおそれがある。
【００３１】
請求項４記載の発明は、請求項１〜３のいずれかに記載の複数のレンズ保持治具にそれぞれレンズを保持させ、それぞれのレンズ保持治具の前記掛着部を搬送治具に掛けて吊り下げ、前記レンズを処理液中に浸漬することを特徴とするレンズの処理方法を提供する。
【００３２】
このレンズの処理方法によれば、レンズの径やレンズの厚みに対応したレンズ保持治具を準備することによって、一つの搬送治具に多種類のレンズを混載可能にでき、多品種、小ロット生産に適したレンズの処理方法とすることができる。
【００３３】
【発明の実施の形態】
以下、本発明のレンズ保持治具、搬送治具、レンズの処理方法の実施の形態について説明するが、本発明は以下の実施の形態に限定されるものではない。
【００３４】
図１は、本発明のレンズ保持治具の第１実施形態の複数個を搬送治具の一実施形態に掛けて吊り下げた状態を示す斜視図である。図２は、第１実施形態のレンズ保持治具単体の一部断面を含む正面図である。図３は第１実施形態のレンズ保持治具単体の第２アームと第３アームを手前に配置した斜視図である。
【００３５】
図１に示すように、本発明のレンズ保持治具１と搬送治具１０は、従来のレンズ保持治具のレンズ受けを一つづつ分離してレンズを保持する単体のレンズ保持部２とし、搬送治具１０も別体とし、搬送治具１０に掛けて吊り下げる掛着部３をレンズ保持部２上部に設けたような構造になっている。
【００３６】
レンズ保持治具１は、ステンレススチールで全体が構成されている。図２に示すように、搬送治具１０に掛けて吊り下げられるレンズ保持治具１全体を支える掛着部３としての鉤状の鉤部３０を備える。鉤部３０は、搬送治具１０に掛けたときに揺れないようにやや肉厚で幅広になっており、搬送治具１０の横棒１６の図１に示していない断面略矩形状の鉤部用凹部の上面と左右側面に嵌まって安定するように内面が形成されている。
【００３７】
鉤部３０の下端に図２左側の第１アーム２１と図２右側の第２アーム２２に水平方向に分岐して結合している。一方の第１アーム２１は針金状で、ほぼ水平方向に延びている第１水平部２１１から付勢手段としてのコイルバネ２１２を介して水平方向から下方へ鋭角に折り返されている。折り返されて図２右側斜め下方へ傾斜している第１傾斜部２１３は、レンズＬの図２右側上方位置で鉛直方向よりやや内側に折曲され、鉛直方向よりやや左側へ傾斜して延びる第１鉛直部２１４となり、その先端はレンズＬの中央側面近傍に位置している。第１鉛直部２１４の先端部の内面側にレンズＬの右側面と当接する第１保持部４１が一体に取り付けられている。
【００３８】
他方の第２アーム２２は、厚みのあるほぼ水平方向の矩形板２２１が鉤部３０下端に鉤部３０と一体に設けられ、更に帯状板２２２が面をレンズ側に向けて矩形板２２１の端縁に鉛直方向に接合されている。帯状板２２２は矩形板２２１下方で矩形板２２１と鋭角に第１傾斜部２１３と対称的に左側斜め下方へ折曲され、図２左側斜め下方へ傾斜する第２傾斜部２２３が形成されている。これらの第１アーム２１と第２アーム２２とは、ほぼ同一平面上で折曲されている。第２傾斜部２２３は、第１アーム２１の第１傾斜部２１３とほぼ同一平面上で交差してレンズＬの図２左側上方位置で鉛直方向よりやや内側へ折曲され、鉛直方向よりやや右側へ傾斜して延びる第２鉛直部２２４となっている。図２，図３に示すように、第２鉛直部２２４の上部で帯状板２２２が幅方向のほぼ中心で鉛直方向に２分割され、第３アーム２３として分岐している。第２アーム２２の第２鉛直部２２４は、レンズＬの図２左側斜め下でレンズＬ側に向かって折曲されて第３傾斜部２２５となり、第３傾斜部２２５の先端の内面にレンズＬ側面と当接する第２保持部４２が一体に取り付けられている。第２保持部４２先端はレンズの中心を通る鉛直線ＶＬから偏心してやや左側のレンズＬの下方側面に当接するようになっている。
【００３９】
第２アーム２２の第２鉛直部２２４上部で第２アーム２２と分岐した第３アーム２３は、第２アーム２２の第２鉛直部２２４とほぼ平行して延び、レンズＬの中央左側側面近傍に達する位置に先端が配置されている。第３アーム２３の先端の内面には第３保持部４３が一体に設けられ、第３保持部４３の先端がレンズＬ左端の側面に当接する。
【００４０】
図２、図３に示すように、第２アーム２２の第１アーム２１と交差する帯状板２２２の第２傾斜部２２３には、幅方向中心に沿って第１アーム２１が通る細長い案内孔２２６が穿設され、案内孔２２６に第１アーム２１の第１傾斜部２１３が通されている。
【００４１】
第１アーム２１の先端の第１保持部４１は、コイルバネ２１２の付勢力でレンズＬ中心側に向かうように付勢されている。そのため、レンズＬは、図２に示すように、下方の側面を第２保持部４２で、左側側面を第３保持部４３でそれぞれ受けられ、右側のやや上方側面を第１アームの先端の第１保持部４１が押圧し、これらの第１保持部４１、第２保持部４２、第３保持部４３の三点支持で保持される。
【００４２】
図６に保持部の一例を示す。レンズＬの側面が厚い場合は、図６（ａ）に示すように、先端が針状に尖った板状保持部４０１が用いられ、尖った先端をレンズＬの側面に押圧することによってレンズＬを三箇所の保持部で挟持する。図３に示したレンズ保持治具１は、このように厚みのあるレンズＬを保持する板状保持部４０１を備えている。レンズＬの側面の厚みが薄い場合は、図６（ｂ）に示すように、先端がＭ型状の板状保持部４０２が用いられる。Ｍ型状の板状保持部４０２の先端のＶ型の凹み４０２ａがレンズＬの側面の両側縁と当接することによってレンズＬの側面を凹み４０２ａが挟むようにして三箇所の保持部で挟持する。図１、図２に示したレンズ保持治具１はこのような保持部４０２を備える。
【００４３】
図６（ｂ）に示す板状保持部４０２の凹み４０２ａの先端は、刃状４０２ｂに形成され、レンズＬ側面と接触する面積をできる限り少なくするようになっている。これにより、板状保持部４０２近傍のレンズＬ表面に形成されたハードコート液の液膜が板状保持部４０２に引き寄せられて、板状保持部４０２が接触したレンズＬ表面近傍のハードコート膜の膜厚が薄くなることを防止している。
【００４４】
図２、図３に示したレンズ保持治具１は、第１アーム２１がコイルバネ２１２を介して鋭角に折り返され、コイルバネ２１２の支点から第１保持部４１までのストロークが長くとれ、バネの撓み量を多くできるため、第１アーム２１はレンズＬの側面に対して離間接近する可動範囲が広くなっている。そのため、広い範囲のレンズの外径に対応できる。例えばレンズの外径は、６０〜８０ｍｍの範囲で２〜３ｍｍ刻みの９種類がある。従来はこの９種類ごとにレンズ保持治具が必要であったが、本実施形態のレンズ保持治具１では、第１アーム２１の可動範囲が広いため、例えば２種類のレンズ保持治具１で６０〜８０ｍｍの範囲をカバーできる。その結果、図６（ａ）、（ｂ）に示したレンズの厚みに対応した板状保持部４０１、４０２の２種類を加えて４種類のレンズ保持治具１で現在のレンズ全てをほぼカバーできる。
【００４５】
これによって、多種類のレンズ保持治具１を準備しなくても良く、設備費が低減され、管理も簡易になる。しかも、レンズの径毎に分別する作業が簡易になり、生産性が向上する。ペア品も一つの搬送治具で一緒に処理できる可能性が高いため、ペアリングの煩雑さも少なくなる。
【００４６】
また、第１アーム２１の第１傾斜部２１３は、第２アーム２２の案内孔２２６を通って第２アーム２２の第２傾斜部２２３と交差している。これにより、第１アーム２１のレンズＬ側面に対して離間接近する動きが第２アーム２２の案内孔２２６で制限され、第１アーム２１の平面上の動きが、第２アーム２２の折曲して形成されている仮想平面とほぼ同一になることが確保され、相互にねじれが生じないようになっている。このため、第１保持部４１と第２保持部４２でレンズＬの側面を確実に挟持することができる。
【００４７】
また、レンズＬの下方を支える第２保持部４２は、図２に示すように、レンズの側面と当接している箇所が、レンズ保持治具１を搬送治具１０に鉤部３０で吊したときに、レンズＬ中心を通る鉛直線ＶＬ上から偏心して約１０ｍｍほど左にずれた位置にある。
【００４８】
第２保持部４２のレンズＬの側面に対する当接位置がレンズＬ中心を通る鉛直線ＶＬ上にあると、レンズＬをハードコート液に浸漬した後、引き上げる際に、レンズＬ表面から第２保持部４２にハードコート液が引き寄せられ、ツリー状のスジが発生することが経験的に認められる。
【００４９】
本実施形態のレンズ保持治具１では、レンズ中心を通る鉛直線ＶＬ上から第２保持部４２の当接位置が偏心しているため、このようなツリー状のスジの発生を抑制することができる。
【００５０】
また、本実施形態のレンズ保持治具１では、図３に示したように、第３アーム２３が鉛直方向の第２アーム２２を縦に分割して枝分かれして設けられ、第２アーム２２と第３アーム２３とはレンズＬの厚さ方向に並列している。その結果、第２保持部４２以外に第２アーム２２とレンズＬ側面との間に橋渡しをするものがない構造となっている。第１アーム２１と第３アーム２３についても同様に、それぞれ第１保持部４１と第３保持部４３以外にレンズＬ側面と接するものがない構造となっている。そのため、ハードコート液にレンズを浸漬し、引き上げる際にレンズＬ側面とこれらの第１アーム２１、第２アーム２２、第３アーム２３との間にハードコート液の膜が形成されないようになっている。ハードコート液の膜が形成されると、膜がはじける際にはじけた液滴がレンズに付着し、不良の発生原因となるが、本実施形態のレンズ保持治具１ではこのような不良が生じ難い構造となっている。
【００５１】
レンズＬをレンズ保持治具１に保持させる作業は、例えば、第１アーム２１の第２アーム２２と交差後の斜めになっている第１傾斜部２１３を第２アーム２２の矩形板２２１側に指で引き寄せて第１アーム２１を大きく開き、レンズＬの側面を第２保持部４２と第３保持部４３に当接させた後、コイルバネ２１２の付勢力に従って第１アーム２１の先端の第１保持部４１をレンズＬ側面に当接させるようにすればよい。
【００５２】
このような作業でレンズＬをレンズ保持治具１に保持させることができるため、従来のレンズ保持治具６００のレンズ受け６１０の狭い隙間にレンズＬを装着する作業と異なり、レンズＬに傷を付けるおそれは小さく、歩留まりを向上させることができる。
【００５３】
また、レンズ保持治具１が破損したときに、レンズ１枚分のレンズ保持治具１の破損であるため、従来のレンズ３０枚を装着するレンズ保持治具５００と異なり、損失が少なくて済む利点がある。
【００５４】
次に、図４〜図６を参照しながら本発明のレンズ保持治具の第２実施形態について説明する。図４は、レンズ保持治具の正面側から見た斜視図、図５は、前方斜め上から見た斜視図である。
【００５５】
第２実施形態のレンズ保持治具１ｂは、第１実施形態のレンズ保持治具１に対して、保持部の改良によるレンズ面に対するハードコート液の均一な付着を可能とし、更に洗浄性を改良したものである。
【００５６】
このレンズ保持治具１ｂは、全体がステンレススチールで構成され、最上部に搬送治具１０の横棒１６に掛けて吊すことによりレンズ保持治具１ｂ全体を支える掛着部３ｂとしての鉤部３０ｂと、この鉤部３０ｂに結合されているレンズ保持部２ｂとを有する。鉤部３０ｂは、やや厚手の矩形板を折曲して形成され、搬送治具１０の横棒１６の図１に示していない断面略矩形状の鉤部用凹部の上面と左右側面に嵌まって安定するように形成された逆凹型の形状を有する支持部３１ｂとこれと一体に形成されている水平板３２ｂとを有する。
【００５７】
レンズ保持部２ｂは、それぞれ基端部が鉤部３０ｂの水平板３２ｂに結合され、先端部が自由端になっている第１アーム２１ｂ、第２アーム２２ｂ、第３アーム２３ｂを有する。これらの第１アーム２１ｂ、第２アーム２２ｂ、第３アーム２３ｂは、基本的に断面がほぼ円形の針金で構成されている。
【００５８】
第１アーム２１ｂの基端部は、鈎部３０ｂの水平板３２ｂの上面にこれと平行に接合されている。基端部から水平方向に延伸する第１水平部２１１ｂから、付勢手段としてのコイルバネ２１２ｂを介して水平方向から斜め下方へ鋭角に折り返されている。折り返されて図４斜め右側へ傾斜している第１傾斜部２１３ｂは、レンズＬの右側端よりやや右側で鉛直方向よりやや内側に折曲され、鉛直方向よりやや左側へ傾斜して延伸している第１鉛直部２１４ｂとなり、その先端がレンズＬの中央右側面近傍に位置するようになっている。第１アーム２１ｂの先端部はプレス等で扁平に形成されて取付部２１５ｂが形成され、取付部２１５ｂには細いワイヤを折曲して形成された第１保持部４１ｂの基端部が接合されている。第１保持部４１ｂの基端部から立ち上がる部分は、第１アーム２１ｂの先端縁にほぼ位置している。
【００５９】
第２アーム２２ｂと第３アーム２３ｂとは、それぞれ鈎部３０ｂの水平板３２ｂ下面に断面がω型に形成された案内板２４を介して基端部が接合され、基端部から第１アーム２１ｂとは逆の図面右水平方向に延伸している第１水平部２２１ｂ、２３１ｂを有する。これらの第１水平部２２１ｂ、２３１ｂから左側斜め下方に向かって鋭角的に折曲され、この斜め左下方へ延伸している第２傾斜部２２２ｂと２３２ｂが、第１アーム２１ｂの第１傾斜部２１３ｂを両側から挟むように第１アーム２１ｂと交差している。第２傾斜部２２２ｂ、２３２ｂからレンズＬの左端よりやや左側で鉛直方向よりやや右方向に折曲され、鉛直方向よりやや右側に向かって傾斜している第２鉛直部２２３ｂ、２３３ｂになっている。第２アーム２２ｂは更にレンズＬ斜め左下側で右側下方に向かって折曲されて第３傾斜部２２４ｂとなり、更に、レンズＬ中心側に向かうように折曲され、取付部２２５ｂが形成されている。第２アーム２２ｂの先端の取付部２２５ｂは、レンズＬ下方の側面のやや左側近傍に位置するようになっている。第２アーム２２ｂの取付部２２５ｂには、第２保持部４２ｂが接合されている。第２保持部４２ｂは、図６（ｂ）に示した先端がＭ型状の板状保持部４０２である。第３アーム２３ｂの第２鉛直部２３２ｂの先端は、レンズＬ中央左側面近傍に位置するように延伸されている。第３アーム２３ｂの第２鉛直部２３３ｂの先端部は、プレス等で扁平に形成されて取付部２３５ｂが形成され、取付部２３５ｂにはワイヤを折曲して形成された第３保持部４３ｂの基端部が接合されている。第３保持部４３ｂの基端部から立ち上がる部分は、第３アーム２３ｂの先端縁にほぼ位置している。第２アーム２２ｂと第３アーム２３ｂのそれぞれの第２鉛直部２２３ｂ、２３３ｂの上部は、連結板２５によって、第２アーム２２ｂと第３アーム２３ｂのそれぞれの第２鉛直部２２３ｂ、２３３ｂがレンズＬの側面とほぼ平行になるように相互に固定されている。図５に示すように、第１アーム２１ｂ、第２アーム２２ｂ及び第３アーム２３ｂは、レンズＬの側面とほぼ平行になるように折曲されている。
【００６０】
第２実施形態のレンズ保持治具１ｂに取り付けられている第１保持部４１ｂと第３保持部４３ｂは、図６（ｄ）に示すように、細いワイヤを折曲して形成されたワイヤ状保持部４０４になっている。ワイヤ状保持部４０４は、側面が薄いレンズＬの左右の両側面のそれぞれの両端縁に当接するように略く字状にワイヤが折曲されたく字状部４０４ａを有する。このく字状部４０４ａを第１アーム２１ｂと第３アーム２３ｂのそれぞれの取付部２１５ｂ、２３５ｂに接合されている基端部に接続する接続部４０４ｂは、それぞれの取付部２１５ｂ、２３５ｂの先端縁から立ち上がり、レンズＬの側面と外れた方向に延伸している。図４、図５に示したレンズ保持治具１ｂでは、第１保持部４１ｂと第３保持部４３ｂがこの図６（ｄ）に示すワイヤ状保持部４０４であり、第２保持部４２ｂは、図６（ｂ）に示した板状保持部４０２であったが、第２保持部４２ｂもワイヤ状保持部４０４としてもよい。側面が厚いレンズの場合は、図６（ｃ）に示すように、第１保持部４１ｂ、第２保持部４２ｂ、第３保持部４３ｂは、それぞれ針金の先端が尖った針状の針金状保持部４０３を用いる。
【００６１】
第２実施形態のレンズ保持治具１ｂは、レンズＬの左右両側面を第１保持部４１ｂと第３保持部４３ｂで、レンズＬの下方の側面を第２保持部４２ｂで保持する。第２実施形態のレンズ保持治具１ｂは、基本的な構成は第１実施形態のレンズ保持治具１とほぼ同じであるため、第１実施形態のレンズ保持治具１と同様の効果を有する。
【００６２】
即ち、第１アーム２１ｂがコイルバネ２１２ｂを介して鋭角的に折り曲げられ、第１保持部４１ｂのストロークが長く、可動範囲が広いため、広い範囲のレンズＬの外径に対応することができると共に、レンズＬを装着する作業中にレンズに傷を付けるおそれが少なくなっている。また、第２保持部４２ｂのレンズＬの側面と当接している箇所が、レンズ保持治具１ｂを搬送治具１０に吊したときに、レンズＬの中心を通る鉛直線ＶＬ上から偏心した位置にあるため、第２保持部４２ｂに処理液が引き寄せられてレンズＬ表面の処理液の液膜の厚さに不均一を生じさせるおそれはない。
【００６３】
また、第１アーム２１ｂの第１傾斜部２１３ｂは、第２アーム２２ｂの第２傾斜部２２２ｂと第３アーム２３ｂの第２傾斜部２３２ｂと挟まれて交差している。これにより、第１アーム２１ｂのレンズＬ側面に対して離間接近する動きを、第２アーム２２ｂの第２傾斜部２２２ｂと第３アーム２３ｂの第２傾斜部２３２ｂがいわば案内として規制し、第１アーム２１ｂの平面上の動きが、レンズＬの側面とほぼ平行になることが確保されている。
【００６４】
第２実施形態のレンズ保持治具１ｂでは、これらの効果に加えて、第１アーム２１ｂ、第２アーム２２ｂ、第３アーム２３ｂが断面円形の針金で構成され、表面積が最小になるようになっている。そのため、ハードコート液の付着量が少なく、しかも洗浄により付着物が簡単に脱離するため、容易に洗浄できるという効果が加わる。また、第１保持部４１ｂと第３保持部４３ｂとが、細いワイヤを折り曲げて形成されているワイヤ状保持部４０４であるため、図６（ｂ）に示した板状保持部４０２よりも処理液の付着量が少なく、そのために第１保持部４１ｂ、第３保持部４３ｂにハードコート液が引き寄せられてレンズＬ表面の処理液の液膜の厚さに不均一を生じさせるおそれが少なくなり、ハードコート処理での歩留まりが顕著に向上することが認められる。また、図６（ａ）に示した板状保持部４０１を図６（ｃ）示した針金状保持部４０３に変更したことにより、ハードコート液の付着量が少なくなる。
【００６５】
更に、第２実施形態のレンズ保持治具１ｂは、第１実施形態のレンズ保持治具１よりも、更にハードコート液の膜ができにくい構造となっている。即ち、第１実施形態のレンズ保持治具１の第１保持部４１と第３保持部４３がそれぞれ第１アーム２１と第３アーム２３の先端縁からやや距離をおいた位置から斜め上に立ち上がっており、折曲されている金属板で構成されている板状保持部４０２とこれと対向しているレンズＬの側面との間にハードコート液の膜が生じることがあった。これに対し、第２実施形態のレンズ保持治具１ｂでは、第１保持部４１ｂが第１アーム２１ｂのほぼ先端縁から、第３保持部４３ｂが第３アーム２３ｂのほぼ先端縁から立ち上がる構造となっていることと、ワイヤ状保持部４０４のく字状部４０４ａにつながる接続部４０３ｂがレンズＬの側面に向かう方向と異なる方向を向いていることにより、レンズＬ側面と保持部４１ｂ、４３ｂとの間に粘度の高いハードコート液の膜が生じ難く、膜の破裂による不良発生が起こりにくくなっている。
【００６６】
これらの第１実施形態のレンズ保持治具１及び第２実施形態のレンズ保持治具１ｂは、第１アーム２１，２１ｂがコイルバネ２１２，２１２ｂの付勢力でそれぞれ先端の第１保持部４１，４１ｂをレンズＬ側に付勢するようになっている。そのため、例えばコイルバネ２１２，２１２ｂを構成する第１アーム２１，２１ｂの線径を太くしたり細くすることによって、コイルバネ２１２，２１２ｂのバネ圧を変化させることが可能である。例えば、第１アーム２１，２１ｂの線径を細くすることによって、バネ圧を減少させ、外周縁が薄くなった非円形レンズも変形させることなく保持することが可能となる。即ち、この非円形レンズは、レンズの厚み（中心厚）を薄くしたい顧客の希望がある場合に、全体の厚みを均等に削った薄型レンズである。特に凸レンズ（＋範囲のレンズ）では、外周部が薄くなり、外周部が削られて楕円形や非円形になる場合がある。外周部が削られた非円形レンズの外周縁は薄く刃先のように尖っており、強い力で両側から挟んだ状態で熱を加えると変形を生じてしまうおそれがある。本発明のレンズ保持治具１，１ｂでは、コイルバネ２１２，２１２ｂのバネ圧を変更することによってこのような非円形レンズも保持可能である。
【００６７】
次に、本発明のレンズ保持治具１、１ｂを搬送する本発明の搬送治具について説明する。搬送治具１０は、図１に示したように、主軸棒１１の両端縁に矩形板状の位置合わせ板１２，１３が軸方向と直交する方向でかつ水平方向に一体に設けられ、主軸棒１１の位置合わせ板１２，１３より両側の内側に断面Ｖ字状の受け渡し板１４が主軸棒１１を下から挟むように一体に設けられている。更に、主軸棒１１の受け渡し板１４の両側の内方下面には、鉛直方向の釣り棒１５が一体に設けられ、この釣り棒１５と一体に横棒１６が主軸棒１１とほぼ平行に設けられている。この横棒１６にレンズ保持治具１、１ｂの鉤部３０、３０ｂを掛けて吊すことにより、複数のレンズ保持治具１、１ｂをまとめて搬送することができる。
【００６８】
搬送治具１０の一実施形態の側面図を図７に示す。図７は横棒１６に設けられている鉤部用凹部１７の配列を示すものである。この鉤部用凹部１７は、レンズ保持部１の鉤部３０、３０ｂの内面が嵌め込まれて固定されるもので、図７の一番左の第１鉤部用凹部１７−１から一番右の第２０鉤部用凹部１７−２０までこの搬送治具１０では２０個の鉤部用凹部１７が設けられている。第１鉤部用凹部１７−１と次の第２鉤部用凹部１７−２の間にはやや幅広の凸部が設けられている。第２鉤部用凹部１７−２と次の第３鉤部用凹部１７−３、第３鉤部用凹部１７−３と第４鉤部用凹部１７−４とは互いに鉤部用凹部を区画する狭い凸部で隔てられている。更に、第４鉤部用凹部１７−４と次の第５鉤部用凹部１７−５とは、第１鉤部用凹部１７−１と第２鉤部用凹部１７−２との間隔と同様に比較的幅広い凸部で隔てられている。第６鉤部用凹部１７−６から第８鉤部用凹部１７−８までは第２鉤部用凹部１７−２から第４鉤部用凹部１７−４と同様に３連装となっている。第５鉤部用凹部１７−５から以降は、第１鉤部用凹部１７−１から第４鉤部用凹１７−４部と同じ配列が繰り返されている。
【００６９】
３連装の第２鉤部用凹部１７−２〜第４鉤部用凹部１７−４はそれぞれピッチａの間隔で設けられている。第１鉤部用凹部１７−１と第２鉤部用凹部１７−２との間のピッチは、ピッチａの２倍のピッチのピッチｂになっており、第２鉤部用凹部１７−２と第４鉤部用凹部１７−４との間、第４鉤部用凹部１７−４と第５鉤部用凹部１７−５との間もピッチｂの間隔である。一方、第１鉤部用凹部１７−１と第３鉤部用凹部１７−３との間のピッチはピッチｂ＋ピッチａであるからピッチａの３倍のピッチのピッチｃとなっており、第３鉤部用凹部１７−３と第５鉤部用凹部１７−５との間のピッチもピッチｃとなっている。例えば、ピッチａは１０ｍｍ、ピッチｂは２０ｍｍ、ピッチｃは３０ｍｍである。
【００７０】
即ち、本実施形態の搬送治具１０は、レンズの厚みによってピッチｂ又はピッチｃを選択することができるようになっている。例えば、レンズの厚みの薄いレンズを保持したレンズ保持治具１、１ｂを搬送治具１０に掛けるときは、ピッチｂで掛け、レンズの厚みが厚いレンズ保持したレンズ保持治具１、１ｂを掛けるときは、ピッチｃを選択して掛けることによって、レンズ相互を接触させずにレンズの厚みに応じた最大のレンズ枚数を搬送治具１０に容易にセットすることができる。また、ピッチｂを選択して掛ける途中で、レンズの厚みの厚いレンズをピッチｃを選択して掛けることにより、異なるレンズの厚みのレンズを混載して搬送治具１０にセットすることも可能である。
【００７１】
本実施形態の搬送治具１０は、鉤部用凹部１７を等間隔で並べるのではなく、ピッチの選択が容易に行えるように鉤部用凹部１７を不等間隔で配置している。
【００７２】
次に、レンズ保持治具１、１ｂと搬送治具１０を組み合わせたものの使用方法を説明する。図１に示したように、本発明のレンズ保持治具１、１ｂにレンズＬを保持させ、レンズＬを保持したレンズ保持治具１、１ｂを本発明の搬送治具１０の横棒１６に掛け、吊したレンズＬに種々の処理を施すことができる。
【００７３】
例えば、ハードコート処理の前に、アルカリ処理、酸処理、純水洗浄槽などの前処理槽に搬送し、レンズＬをこれらの前処理槽に順次浸漬し、レンズ面の洗浄を行う。
【００７４】
次に、搬送治具１０をハードコート処理槽に搬送し、搬送治具１０の位置合わせ板１２，１３を所定の位置決め凹部に嵌め、搬送治具１０を降下させてレンズ保持治具１、１ｂで保持されているレンズＬをハードコート液中に所定時間浸漬する。その後、所定の引き上げ速度で搬送治具を引き上げ、レンズＬに付着しているハードコート液を液切れする。その後、搬送治具１０を乾燥炉に搬送し、レンズＬやレンズ保持治具１、１ｂに付着しているハードコート液の乾燥を行う。
【００７５】
次に、例えば乾燥したハードコート膜が付着しているレンズＬをレンズ保持治具１、１ｂから外し、レンズＬを焼成炉で焼成し、ハードコート膜を硬化させ、耐擦傷性を付与するハードコート膜をレンズ表面に形成することができる。
【００７６】
このように、本発明のレンズ保持治具１、１ｂと搬送治具１０を組み合わせることによって、多種類のレンズＬを搬送治具１０に混載して処理することができるので、多品種、小ロットに対応して効率的にレンズの処理を行うことができる。
【００７７】
また、本発明のレンズ保持治具１、１ｂでレンズＬを保持させてレンズ保持治具１、１ｂを搬送治具１０に掛け、ハードコート液にレンズＬを浸漬する方法では、第１実施形態のレンズ保持治具１では、第２アーム２１と第３アーム２３の分岐点より下を、第２実施形態のレンズ保持治具１ｂでは、連結板２５より下をハードコート液に浸漬する。レンズＬ以外にハードコート液が付着するのは、第１〜第３アーム２１、２１ｂ、２２、２２ｂ、２３、２３ｂの先端と第１〜第３保持部４１、４１ｂ、４２、４２ｂ、４３、４３ｂであり、これらのアーム２１、２１ｂ、２２、２２ｂ、２３、２３ｂを支える骨組みにはハードコート液は付着しないので、レンズ保持治具１、１ｂにハードコート液が付着する量は、従来のレンズ保持治具６００と比較して格段に少なくて済む。その結果、ハードコート液の利用効率が向上すると共に、レンズ保持治具を洗浄する洗剤の使用量も減少し、生産コストを低減することができる。
【００７８】
上記説明では、掛着部は鉤状の鉤部として説明しているが、例えば突出部に掛けるリング状、あるいは２本以上の横棒に掛けるようなＴ字状のような形状であっても良い。また、搬送治具もフック状の突出部を設けた構造でも良く、横棒を並列したような構造であっても良い。
【００７９】
【発明の効果】
本発明のレンズ保持治具は、レンズを一枚毎に保持して個々に搬送治具に吊すようにしているので、多品種、小ロットに対応して効率的に多種類のレンズを一つの搬送治具に混載することが可能となった。
【００８０】
本発明の搬送治具は、レンズの厚みに対応して容易にレンズ保持治具をセットすることができる。
【００８１】
本発明のレンズの処理方法によれば、多種類のレンズをまとめて処理することができるので、多品種、小ロットに対応して効率的にレンズの処理を行うことができる。
【図面の簡単な説明】
【図１】本発明のレンズ保持治具の第１実施形態を搬送治具に掛けて吊した状態を示す斜視図である。
【図２】本発明のレンズ保持治具の第１実施形態を示す一部断面を含む正面図である。
【図３】本発明のレンズ保持治具の第１実施形態を示す斜視図である。
【図４】本発明のレンズ保持治具の第２実施形態を正面側から見た斜視図である。
【図５】本発明のレンズ保持治具の第２実施形態を斜め上方から見た斜視図である。
【図６】レンズ保持治具のレンズを保持する保持部の形状を示すもので、（ａ）は先端を尖らせた板状保持部、（ｂ）はＭ型状の板状保持部、（ｃ）は先端が尖った針金状保持部、（ｄ）はワイヤが折曲されたワイヤ状保持部を示す。
【図７】本発明の搬送治具の一実施形態を示す側面図である。
【図８】従来のレンズ保持治具を示すもので、（ａ）は正面図、（ｂ）は側面図である。
【符号の説明】
１、１ｂ                  レンズ保持治具
２、２ｂ                  レンズ保持部
２１、２１ｂ              第１アーム
２１２、２１２ｂ          コイルバネ
２２、２２ｂ              第２アーム
２３、２３ｂ              第３アーム
３、３ｂ                  掛着部
３０、３０ｂ              鉤部
４１、４１ｂ              第１保持部
４２、４２ｂ              第２保持部
４３、４３ｂ              第３保持部
１０                      搬送治具
１６                      横棒
Ｌ                        レンズ
【図１】
0004039065.tif 000002
【図２】
0004039065.tif 000003
【図３】
0004039065.tif 000004
【図４】
0004039065.tif 000005
【図５】
0004039065.tif 000006
【図６】
0004039065.tif 000007
【図７】
0004039065.tif 000008
【図８】
0004039065.tif 000009